(57)【要約】 【課題】  開栓器のスピンドルヘッドへのセット、即ち連結を容易にする仕切弁の弁操作装置と、該弁操作装置用の中継杆を提供する。【解決手段】仕切弁１をねじ式弁筐３内に設けた弁操作装置であって、上端に前記仕切弁１のスピンドルヘッド１ａと略同形状の角錐台形のヘッド６を設け、且つ下端に設けたソケット７を、前記スピンドルヘッド１ａに嵌合させた中継杆５を設けると共に、前記ソケット７は前記中継杆５に上下２本の着脱自在の軸８又は９を外すことにより屈曲可能に構成する。【選択図】図２
2017082851.tif 000002
【特許請求の範囲】
【請求項１】
仕切弁を弁筐内に設けた弁操作装置であって、上端に前記仕切弁のスピンドルヘッドと略同形状の角錐台形のヘッドを設け、且つ下端に設けたソケットを、前記スピンドルヘッドに嵌合させた中継杆を設けると共に、前記ソケットは中継杆に上下２本の着脱自在の軸で連結し、一方の軸を外すことにより屈曲可能に構成したことを特徴とする弁操作装置。
【請求項２】
中継杆の上端に仕切弁のスピンドルヘッドと略同形状の角錐台形のヘッドを設け、且つ下端に上下２本の着脱自在の軸で前記仕切弁のスピンドルヘッドと嵌合するソケットを連結すると共に、前記軸の一方を外すことにより屈曲可能に構成したこと特徴とする弁操作装置用中継杆。
【発明の詳細な説明】
【技術分野】
【０００１】
本発明は、上水道設備における仕切弁の弁操作装置と、その弁操作装置用の中継杆に関するものである。
【背景技術】
【０００２】
従来、上水道設備における仕切弁の弁操作装置は一般に図１に示すように地下に埋設された仕切弁１を覆うように蓋２を設けたねじ式の弁筐３を設けた構造である。
【０００３】
このような一般的な弁操作装置においては、蓋２の開閉や隙間から土砂４や雨水等が流入し、弁機構全体が埋没又は水没し、視覚での弁確認が困難となり、開栓器のセットに戸惑うことがあった。また、夜間に弁の開閉を行う場合、仕切弁１のスピンドルヘッド１ａの位置確認に困難を来たし、緊急事態に即応できず、又平常時においても弁筐３は細長いので、内部が暗く開栓器のセットに時間を要していた。
【０００４】
更に傾斜道路に水道管が設置されている場合や、地震等により弁筐３の中心軸に対し、スピンドルヘッド１ａの中心軸が傾斜したり、横にズレたりした場合には、一層開栓器のセットに困難を来たすといった問題があった。
【０００５】
またねじ式の弁筐３は、仕切弁１の埋設深度によって弁筐３の上部を回転させて弁筐の高さを調節することができるが、弁筐３の高さが高くなった場合、地表から仕切弁のスピンドルヘッド１ａまで深くなるため、上記の問題が一層困難を増すことになる。
【先行技術文献】
【特許文献】
【０００６】
【特許文献１】特開平１１−２４１３７７号公報
【非特許文献】
【０００７】
【非特許文献１】日本水道協会規格  ＪＷＷＡ  水道用ねじ式弁筐  (社)日本水道協会  平成１２年６月８日発行
【発明の概要】
【発明が解決しようとする課題】
【０００８】
本発明は、開栓器のスピンドルヘッドへのセット、即ち連結を容易にする仕切弁の弁操作装置と、該弁操作装置用の中継杆を提供することを課題とするものである。
【課題を解決するための手段】
【０００９】
本発明は、上記の課題を解決するためになされたもので、請求項１記載の発明は、仕切弁を弁筐内に設けた弁操作装置であって、上端に前記仕切弁のスピンドルヘッドと略同形状の角錐台形のヘッドを設け、且つ下端に設けたソケットを、前記スピンドルヘッドに嵌合させた中継杆を設けると共に、前記ソケットは中継杆に上下２本の着脱自在の軸で連結し、一方の軸を外すことにより屈曲可能に構成したことを特徴とする弁操作装置である。
【００１０】
請求項２記載の発明は、中継杆の上端に仕切弁のスピンドルヘッドと略同形状の角錐台形のヘッドを設け、且つ下端に上下２本の着脱自在の軸で前記仕切弁のスピンドルヘッドと嵌合するソケットを連結すると共に、前記軸の一方を外すことにより屈曲可能に構成したこと特徴とする弁操作装置用中継杆である。
【発明の効果】
【００１１】
請求項１記載の本発明によれば、上端に仕切弁のスピンドルヘッドと略同形状の角錐台形のヘッドを設け、且つ下端に設けたソケットを、前記スピンドルヘッドに嵌合させた中継杆を設けたので、開栓器のセットは、前記中継杆の上端に設けたヘッドに連結すればよいので、開閉作業が楽になり、緊急事態に即応することができる。また、垂直に設置される弁筐の中心軸に対し、仕切弁のスピンドルヘッドの中心軸が傾斜している場合や、仕切弁の設置位置が弁筐の中心軸に対し横ズレした場合であっても、上下２本の軸で取付けられた中継杆とソケットを何れか１本の軸を取り外して屈曲可能にすることにより、中継杆のヘッドを開栓作業に支障のない位置とすることができる。
【００１２】
請求項２記載の本発明によれば、中継杆とソケットを上下２本の軸で連結する構造としたので、２本の軸で中継杆とソケットを連結した場合は、直列に連結固定され、１本の軸で連結するようにすると、ソケットと中継杆が屈曲可能になり、上の軸で屈曲可能にした場合と下の軸で屈曲可能にした場合とでは、異なる態様とすることができ、使用現場に応じて任意に選択することができる。
【図面の簡単な説明】
【００１３】
【図１】従来のねじ式弁筐を使用した場合の弁操作装置の縦断面図である。
【図２】本発明の実施例１の縦断面図である。
【図３】本発明の実施例で用いられた中継杆を示すもので、(ａ)は正面図、(ｂ)は右側面図である。
【図４】本発明の実施例で用いられた中継杆の斜視図である。
【図５】本発明の実施例２の縦断面図である。
【図６】開栓時の本発明の実施例２の縦断面図である。
【図７】本発明の実施例３の縦断面図である。
【図８】開栓時の本発明の実施例３の縦断面図である。
【実施例１】
【００１４】
図２は本発明の実施例１の縦断面図で、１は仕切弁、３は上部弁筐３ａに蓋２を設けたねじ式弁筐である。
【００１５】
５は上端に前記仕切弁１のスピンドルヘッド１ａと略同形状の角錐台形のヘッド６を設け、下端にスピンドルヘッド１ａと嵌合するソケット７を上下２本の軸８，９により連結固定した中継杆である。
【００１６】
図３（ａ）は前記中継杆５の正面図，図３（ｂ）はその側面図を示し、図４は中継杆の斜視図である。
【００１７】
この実施例の中継杆５では、下端５ａをソケット７の切り込み溝７ａに割り込ませる構造とし、上下２本のボルトを用いた軸８，９で中継杆５にソケットを取付ける構造としているが、この構造のみに限定されるものではない。
【００１８】
そして、上下に設けた軸８，９の一方の軸を外すとソケット７に対し、中継杆５は屈曲可能となり、通常は２本の軸８，９によってソケット７と中継杆５は固定されるが、上又は下の一方の軸を外せば屈曲するようになり、どちらを外すかは、後述するように、仕切弁１の設置状況に応じて選択される。
【００１９】
図２から明らかなように、従来は、細長い弁筐３の底部に位置するスピンドルヘッド１ａに開栓器（図示せず）の下端に設けたソケットを嵌合させなければならないので、段落〔０００３〕〜〔０００５〕に記載したような問題があったが、実施例１の弁操作装置では、開栓器のソケットを嵌合させる位置、即ちヘッド６の位置が、蓋２に近い位置にあるので、開栓器をセットしやすく、迅速に開栓作業を行うことができる。
【実施例２】
【００２０】
図５は本発明の実施例２の縦断面図で、１’は仕切弁、Ａは弁筐、Ｂはレジンコンクリート製や再生プラスチック製の環状の台座１０上に設置された鋳物製の蓋受枠、５は実施例１に示したものと同様の中継杆である。
【００２１】
弁筐Ａは、鋳物製の下部筐体１１の上端に設けた筒状の筒体取付部１１ａに、塩化ビニール製の円筒形状の中間筐体１２をボルト等で接続し、その中間筐体１２の上端に合成ゴム等からなる環状の弾性の継手１３を介して、高さ調節用の塩化ビニール製の調整用筐体１４を接続し、モルタル１５を流し込んで、両者を一体に連結した構造となっている。なお図中１６は調節用筐体１４の上部開口部に嵌合させた中蓋であり、前記蓋受枠Ｂは地盤に設置された台座１０に支持されるように構成されている。
【００２２】
この実施例２の弁筐Ａは、弁筐Ａを設置するに際して、現場で調節用筐体１４を適正な長さに切断して接続させる。
【００２３】
そして、蓋受枠Ｂは地盤に設置された台座１０によって支持され、路上を通過する車両等による荷重は弁筐Ａには直接加わらないので、弁筐Ａを毀損させることはなく、また弁筐Ａは下部筐体１１、中間筐体１２、継手１３及び調節用筐体１４とからなる分割式であり、中間筐体１２と調節用筐体１４は塩化ビニール製であるため、全体を鋳物製の従来品に比し軽量であるから、搬送が非常に楽であると共に、現場における作業性に優れている。
【００２４】
図６は本発明の実施例２において、開栓時に開栓器１７のソケット１７ａを中継杆５のヘッド６に嵌合させた状態を示すもので、開栓器１７のセットが、従来の弁操作装置よりはるかに容易であると共に、開栓器１７を図示のように小型化できる利点がある。
【実施例３】
【００２５】
図７は実施例３の縦断面図を示し、仕切弁１’のスピンドルヘッド１’ａの軸が弁筐Ａの中心軸に対し傾斜した場合で、軸９を外して中継杆５を屈曲可能として、図８に示すように開栓器１７を中継杆５のヘッド６にセットし得るようにしたものである。
【符号の説明】
【００２６】
Ａ            弁筐
Ｂ            蓋受枠
１，１’      仕切弁
１ａ，１’ａ  スピンドルヘッド
２            蓋
３            ねじ式弁筺
３ａ          上部弁筐
４            土砂
５            中継杆
５ａ          下端
６            ヘッド
７            ソケット
７ａ          切り込み溝
８，９        軸
１０          台座
１１          下部弁筐
１２          中間筐体
１３          継手
１４          調整用筐体
１５          モルタル
１６          中蓋
１７          開栓器
【図１】
2017082851.tif 000003
【図２】
2017082851.tif 000004
【図３】
2017082851.tif 000005
【図４】
2017082851.tif 000006
【図５】
2017082851.tif 000007
【図６】
2017082851.tif 000008
【図７】
2017082851.tif 000009
【図８】
2017082851.tif 000010